(57)【要約】【課題】  着用していることを外観上看取しにくいという外観形状のシンプル性、非装飾性という特徴を有したカップ部のみから成るブラジャーにおいて、当該カップ部がドレスの胸元から看取された場合であっても見栄えが悪い印象を与えることがない装飾カバーを提供する。【解決手段】  カップ部２のみから成り且つカップ部の内面に接着剤層４を備えたブラジャー１の外面を覆う装飾カバー１０であって、カップ部外面に対して着脱自在に装着されることによりカップ部外面の少なくとも一部を装飾する。【選択図】      図２
2006161181.tif 000002
【特許請求の範囲】
【請求項１】
カップ部のみから成り且つカップ部の内面に接着剤層を備えたブラジャーの外面を覆う装飾カバーであって、
前記カップ部外面に対して着脱自在に装着されることによりカップ部外面の少なくとも一部を装飾することを特徴とするブラジャーカップの装飾カバー。
【請求項２】
前記装飾カバーは、前記カップ部を覆うカバー本体と、該カバー本体から延びて前記カップ部の接着剤層により着脱自在に保持される被接着手段と、を備えていることを特徴とする請求項１に記載のブラジャーカップの装飾カバー。
【請求項３】
前記被接着手段は、前記カバー本体の周縁部に一端を固定された薄いシート材から成ることを特徴とする請求項１、又は２に記載のブラジャーカップの装飾カバー。
【請求項４】
前記カバー本体は、弾性変形容易な素材から構成され、前記カップ部の形状の変化に追随してフィット可能な構成を備えていることを特徴とする請求項１、２又は３の何れか一項に記載のブラジャーカップの装飾カバー。
【発明の詳細な説明】
【技術分野】
【０００１】
本発明は、カップ部のみから構成されたブラジャーを着用した際に生じる不具合として指摘されていた外観上の不具合を解消することができるブラジャーカップの装飾カバーに関する。
【背景技術】
【０００２】
従来のブラジャーは、乳房を受けるカップ部を、肩紐、脇バンド部によって、着用者の肩部及び背中に固定している。肩紐は、着用者の肩部に違和感を与えたり、ずれ落ちによる不快感を与えることが多々あり、また脇バンド部は胸部や背中に対する圧迫感や違和感を与えることが多かった。また、肩や背中が大きく開放した衣服を着用する場合に、従来のブラジャーを着用すると肩紐や脇バンドが露出するため、肩や背中の開放度に限界があり、衣服のデザインに際しての自由度を阻害したり、衣服購入時の選択の自由度を制限する要因となっていた。
また、ブラジャーの輪郭、特に肩紐や脇バンドの輪郭線を、衣服の外観から看取されることを好まない女性も多い。
このような種々の不具合を解消し、種々の要請を満たすために、新種のブラジャーとして、ヌーブラ（ブラゲル  インターナショナル  インコーポレイテッドの登録商標）と称される商品が開発され、市場に出回っている。このブラジャーは、カップ部のみから成り、カップ部の内側面に皮膚との接着性がよく、繰り返し使用が可能な接着剤層を形成した構成を備えている。２つのカップ部は前部ホックにより着脱自在に構成されており、個々のカップ部を左右の乳房に対して個別に位置決め装着することにより接着剤層を各乳房に密着状態で接着してから、前部ホックにて両カップ部を連結することにより着用が完了する。
また、特開２００４−３１６０４４（クロス工業株式会社）「カップ部のみのブラジャー」には、カップ部に軟式ポリウレタンフォームを使用し、乳房との接触面に柔軟で人体に対する密着性のよい音響結合用高分子ゲルを接着したものが開示されている。
これらのブラジャーは、肩紐や脇バンド部の存在によって従来発生していた着用する際の違和感、不快感、外観上の不具合と、衣服のデザインに際しての不具合を解決することができる。また、ブラジャーの輪郭が衣服上から看取されることを防止できる。
しかし、これらのカップ部のみから成るブラジャーにあっては、乳房との密着性や、外観上目立たないことを重視した構造となっているため、カップ部の外観が極めてシンプル、フラットで装飾性に欠けており、胸が開放したドレスを着用した場合に僅かでもカップ部がドレスの胸元から見えると、決して見栄えのよいものではなかった。特に、クラブで働くホステスのように胸の空いたドレスを着用することが多い人々にとって、このような見栄えの悪さは深刻な問題である。
また、カップ部と乳房とが密着するため皮膚からの発汗がカップ部内に溜まり易く排出されにくいという不具合があり、着用者にとって不快感があり、また、非衛生的であった。
【特許文献１】特開２００４−３１６０４４公報
【発明の開示】
【発明が解決しようとする課題】
【０００３】
本発明は上記に鑑みてなされたものであり、着用していることを外観上看取しにくいという外観形状のシンプル性、非装飾性という特徴を有したカップ部のみから成るブラジャーにおいて、当該カップ部がドレスの胸元から看取された場合であっても見栄えが悪い印象を与えることがない装飾カバーを提供することを目的としている。
【課題を解決するための手段】
【０００４】
上記目的を達成するため、請求項１の発明は、カップ部のみから成り且つカップ部の内面に接着剤層を備えたブラジャーの外面を覆う装飾カバーであって、前記カップ部外面に対して着脱自在に装着されることによりカップ部外面の少なくとも一部を装飾することを特徴とする。
カップ部のみから成るブラジャーは、衣服上からその存在、その輪郭が視認できないように肌に密着する構成を備えているため、外観上見栄えをよくすることができない。カップ部の前面に図柄等の装飾を施す場合には薄い衣服を通して視認され易いので、その外観は意図的に無装飾に構成されている。このため、ドレス等の胸元が開放した衣服を着用する場合に開放部からカップ部が視認されると、見栄えが悪いという欠点があった。本発明では、ブラジャー自体に装飾性をもたせることができないという事情に鑑みて、必要に応じた任意の状況下において、装飾化された装飾カバーをブラジャーのカップ部に取り付けることによって、そのような不具合に対処することを可能ならしめている。
請求項２の発明は、請求項１において、前記装飾カバーは、前記カップ部を覆うカバー本体と、該カバー本体から延びて前記カップ部の接着剤層により着脱自在に保持される被接着手段と、を備えていることを特徴とする。
装飾カバーは、極めてシンプルな構成を備えており、ブラジャーのカップ部に対する着脱が極めて容易である。
請求項３の発明は、請求項１、又は２において、前記被接着手段は、前記カバー本体の内側周縁部に一端を固定された薄いシート材から成ることを特徴とする。
複雑な着脱手段を採用することなく、ブラジャー自体が進退と密着させるために備えている接着剤層を利用して接着する構成としたので、シンプル且つ低コストに作成することができる。
請求項４の発明は、請求項１、２、又は３において、前記カバー本体は、弾性変形容易な素材から構成され、前記カップ部の形状の変化に追随してフィット可能な構成を備えていることを特徴とする。
ブラジャーのカップ部のサイズ、形状が多少変化したとしても、カバー本体自体の形状変化によってそれに追従できるように構成するので、ある程度のフリーサイズ化が可能である。
【発明の効果】
【０００５】
着用していることを外観上看取しにくいという外観形状のシンプル性、非装飾性という特徴を有したカップ部のみから成るブラジャーにあっては、衣服の胸元の開放部から露出した場合に見栄えが良くないという欠点を有している。
本発明では、当該カップ部が衣服の胸元から看取された場合であっても見栄えが悪い印象を与えることがない装飾カバーを提供する。
一方、当該ブラジャーを本来の用途として使用したい場合には、装飾カバーをとりはずせばよい。
【発明を実施するための最良の形態】
【０００６】
以下、本発明を図面に示した実施の形態により詳細に説明する。
図１（ａ）及び（ｂ）はカップ部のみから成るブラジャーの構成を示す正面図、及びＡ−Ａ断面図であり、図２（ａ）（ｂ）（ｃ）及び（ｄ）は本発明のブラジャーカップの装飾カバーの構成を示す正面図、背面図、Ｂ−Ｂ断面図、及び装着状態の説明図、図３（ａ）及び（ｂ）は装着手順の説明図である。
図１に示したカップ部のみから成るブラジャー１は、左右の乳房に対して夫々装着される左右のカップ部２と、各カップ部２を連結するためのホック部３と、を備え、各カップ部の内面には接着剤層４を備えている。
このブラジャー１を装着するに際しては、各カップ部２の内面を各乳房に対して個別に位置決めして接着させてからホック部３により両カップ部本体同士を連結する。
このブラジャー１は、衣服の上からカップ部の存在、輪郭が視認され難いように肌に密着するように構成されており、外観上も極めてシンプルで無装飾、且つ平坦な形態を有している。カップ部の表面が無装飾、平坦であることにより、外観上は決して見栄えのよいものではない。
【０００７】
図１に示した本発明の装飾カバー１０は、胸部に装着したブラジャー１に対して、或いは装着前のブラジャー１に対して、前面側から装着することにより、その外観上の美観を高めて見栄えを良くする手段である。
即ち、この装飾カバー１０は、ブラジャー１のカップ部２の前面（外面）に対して着脱自在に装着されることによりカップ部前面の少なくとも一部を装飾できる構成を備えている。
装飾カバー１０は、カップ部２の前面を覆うカバー本体１１と、カバー本体１１の周縁部から延びてカップ部２の接着剤層４により着脱自在に保持される被接着手段１２と、カバー本体同士を着脱自在に連結するホック１３と、を備えている。カバー本体１１は、カップ部２の周縁を含む前面を覆うようにカップ部２よりも大きめに構成するのが好ましく、カップ部２の外周縁部よりも張り出したカバー本体１１の周縁部（この例では、内側面）に被接着手段１２の一端を固定している。カバー本体１１の前面（外部から視認できる範囲）には任意の装飾を施し、衣服の胸元からブラジャーが見える場合においても見栄えが悪化することがないように構成されている。
被接着手段１２は、接着剤層４を構成する接着剤との接着性がよい材料から成る薄いシート材から構成する。各カップ部２の前面に各カバー本体１１を被せた状態で、この被接着手段１２を図２（ｄ）に示すようにカップ部２の接着剤層４に接着することによってカバー本体の取付けが完了する。
【０００８】
実際の着用手順としては、図３（ａ）のようにブラジャー１の装着が完了してから、図３（ｂ）のブラジャーの左右のカップ部２に対して装飾カバー１０を装着する。装着に際しては、装飾カバー１０の各カバー本体１１の周縁部に設けた被接着手段１２をブラジャーのカップ部２の内側に回り込ませて内面の接着剤層４に接着すればよい。この際、装飾カバー１０は、ホック１３によって連結した状態で取り付けるのが取扱上便利である。
装飾カバー１０をブラジャーから取り外す際には、ブラジャーを胸部から取り外してから、装飾カバー１０の被接着手段１２を剥離すればよい。
なお、胸が開放していない衣服を着用する場合など、ブラジャーの存在を視認されたくない場合には、本発明の装飾カバー１０を装着しないでブラジャー１を着用すればよい。
また、カバー本体１１の材質は、例えば弾性変形容易な繊維材料から構成し、カップ部の外面形状の変化に追随してフィット可能に構成しておく。従って、ブラジャーのカップ部のサイズ、形状が多少変化したとしても、カバー本体自体の形状変化によってそれに追従できるように構成するので、ある程度のフリーサイズ化が可能である。
【０００９】
また、被接着手段１２はカップ部と皮膚との間に溜まりやすい汗を吸収して装飾カバー１０側へ吸い出す効果を有している。即ち、上記のごときブラジャーは皮膚に密着して乳房を覆うため、皮膚からの発汗はカップ部内面に溜まって排出されることがなく、汗による不快感が生じるばかりでなく、不衛生であった。これに対して本発明では被接着手段１２が汗の吸収、排出効果を有しているので、そのような従来の不具合を一挙に解決できる。従って、被接着手段１２としては吸水性を備えていることが好ましく、カバー本体１１側の少なくとも一部（被接着手段１２を支持する部位）には被接着手段１２が吸収した汗を積極的に吸収する素材を用いることが好ましい。また、被接着手段１２による汗の吸収効果を高めるためには汗が溜まり易いカバー本体１１の先端部まで被接着手段１２を延在させることが好ましい。
なお、本発明の装飾カバー１０は、カップ部のみから成るブラジャーのみならず、肩紐、脇バンドを備えた従来のブラジャーのカップ部を装飾するために用いても良い。その場合には、カップ部の内面に接着剤層を設けたり、カップ部から延びる被接着手段１２に接着剤層を設けてブラジャーとの接着を行えばよい。
【図面の簡単な説明】
【００１０】
【図１】（ａ）及び（ｂ）はカップ部のみから成るブラジャーの構成を示す正面図、及びＡ−Ａ断面図。
【図２】（ａ）（ｂ）（ｃ）及び（ｄ）は本発明のブラジャーカップの装飾カバーの構成を示す正面図、背面図、Ｂ−Ｂ断面図、及び装着状態の説明図。
【図３】（ａ）及び（ｂ）は装着手順の説明図。
【符号の説明】
【００１１】
１  ブラジャー、２  カップ部、３  ホック部、４  接着剤層、１０  装飾カバー、１１  カバー本体、１２  被接着手段、１３  ホック。
【図１】
2006161181.tif 000003
【図２】
2006161181.tif 000004
【図３】
2006161181.tif 000005